(57)【要約】      （修正有）【課題】落ち葉による雨水の排水不良、塵等による雨水や洗濯排水のストレーナ部での排水不良を、簡単な構造で防止する屋外床用排水口の防塵器を提供する。【解決手段】建築物の屋上、ベランダ等の床面に設けられている排水口６０の周囲を、間隔を設けて囲むことができる、上下高さが２〜４ｃｍ程度の高さの平面視リング形状又は矩形状を有し、下端部には床面５１に設置したときに床面５１との間に水を通過させる複数の凹部が形成された基台部２で構成した。また別構成ではこの基台部２の上方に、落ち葉などの落下物が前記基台部の内側に落下するのを防止させる覆い部３を設けた。【選択図】図３
0003172621.tif 000002
【実用新案登録請求の範囲】
【請求項１】
建築物の屋上、ベランダ等の床面に設けられている排水口の周囲を、間隔を設けて囲むことができる、上下高さが２〜４ｃｍ程度の高さの平面視リング形状又は矩形状を有し、下端部には前記床面に設置したときに該床面との間に水を通過させる複数の溝が形成された基台部で構成されていることを特徴とする屋外床用排水口の防塵器。
【請求項２】
前記溝は、前記基台部２の下面に沿った周回方向に連続して形成された波形にて形成されている請求項１に記載の屋外床用排水口の防塵器。
【請求項３】
前記基台部の上方に、落ち葉などの落下物が前記基台部の内側に落下するのを防止させる蔽い部が、雨水等による水位が該基台部の上端部に高さまで達したときに該基台部で囲まれた排水口に向けて溢れさせる隙間を設けた状態で、該基台部に固定されている請求項１又は２に記載の屋外床用排水口の防塵器。
【請求項４】
前記蔽い部は、前記排水口の入口に既設されている排水ストレーナを囲むことができる大きさを有する目の粗いドーム形状、又は平網形状を有している請求項３に記載の屋外床用排水口の防塵器。
【考案の詳細な説明】
【技術分野】
【０００１】  本考案は、建築物の屋上及びベランダなどに設備されている排水口の入口に設けられている防塵金具（ストレーナ）が、塵や落ち葉で目詰まりして排水不良になるのを防止する屋外床用排水口の防塵器に関する。
【背景技術】
【０００２】  建築物の屋上には、雨水を排水させる床用排水口が設備されている。
また、マンションと称される集合住宅のベランダにも床用排水口が設備されており、ベランダに洗濯機を設置したい場合には、この床用排水口から洗濯排水も排水される。
これらの床用排水口内に塵や落ち葉などの侵入を防止するため、図８に示すコーン状の金属製のストレーナ７０、又は、図９に示す円板状のストレーナ８０が排水口６０の入口に設けられている。５０は建築物の屋上又はベランダであり、５１はその床を指している。
これらのストレーナ７０，８０には通水孔７３，８１が多数個形成されており、目の大きさが細いこれらの通水孔７３，８１が塵や落ち葉などが排水口６０内に流入するのを阻止させる。
また、特許文献１及び特許文献２に例示されるカゴ型のストレーナが取り付けられていることもあり、カゴ型のストレーナの場合には。カゴの網目が塵や落ち葉の通過を阻止させる。
【先行技術文献】
【特許文献】
【０００３】
【特許文献１】登録実用新案第３０２０１０９号
【特許文献２】意匠登録第１３９０８６９号
【考案の概要】
【考案が解決しようとする課題】
【０００４】  しかしながら、従来のようにストレーナを設けただけでは、屋上に多くの落ち葉が落ちた状態のときに大雨が降ると、図１０（ａ）に示すように、落ち葉がストレーナの周囲まで流れてストレーナの周囲に溜まり、雨水が排水口内に流れ込まずに、屋上に雨水が溜まることがある。このようになると、屋上の防水が十分に機能しないで、室内の雨漏りを招く原因になる。【０００５】  また、前記ベランダに洗濯機を設置した場合、洗濯排水に含まれる繊維屑がストレーナの目に詰まって、洗濯排水を排水口の中に良好に流通させることができなくなることは日常茶飯である。【０００６】  従来の排水ストレーナは、図８及び図９に示すように、塵や落ち葉を通過させない大きさの通水孔７３，８１が設けられているが、図１０（ｂ）に示すように、通水孔７３，８１に枯れ草や洗濯排水中に含まれている糸屑や繊維が詰まると、これらは通水孔７３，８１に引っ掛って絡み合った状態になっているため、これらを除去する面倒な作業が必要であった。【０００７】  本考案の屋外床用排水口は、これらの不具合を解消させるために提案された。
【課題を解決するための手段】
【０００８】  請求項１に係る屋外床用排水口の防塵器は、
建築物の屋上、ベランダ等の床面に設けられている排水口の周囲を、間隔を設けて囲むことができる、上下高さが２〜４ｃｍ程度の高さの平面視リング形状又は矩形状を有し、下端部には前記床面に設置したときに該床面との間に水を通過させる複数の溝が形成された基台部で構成されている。【０００９】  請求項２に係る屋外床用排水口の防塵器は、
更に、前記溝は、前記基台部２の下面に沿った周回方向に連続して形成された波形にて形成されている。【００１０】  請求項３に係る屋外床用排水口の防塵器は、
上記いずれかの構成を備え、更に、前記基台部の上方に、落ち葉などの落下物が前記基台部の内側に落下するのを防止させる蔽い部が、雨水等による水位が該基台部の上端部に高さまで達したときに該基台部で囲まれた排水口に向けて溢れさせる隙間を設けた状態で、該基台部に固定されている。【００１１】  請求項４に係る屋外床用排水口の防塵器は、
請求項３に記載の構成を備え、更に、前記蔽い部は、前記排水口の入口に既設されている排水ストレーナを囲むことができる大きさを有する目の粗いドーム形状、又は平網形状を有している。
【考案の効果】
【００１２】  本考案に係る屋外床用排水口の防塵器によれば、建築物の屋上、ベランダ等の床面に設けられている排水口の周囲を、間隔を設けて囲むことができる、上下高さが２〜４ｃｍ程度の高さの平面視リング形状又は矩形状を有し、下端部には前記床面に設置したときに該床面との間に水を通過させる複数の溝が形成された基台部を有する構成とした結果、落ち葉、小石、比較的大きな塵などが雨水や洗濯排水等によって、屋上やベランダの排水口近くまで流されてくるようなことがあっても、この基台部の手前で留めさせて、排水用ストレーナにおける排水不良が防止できる。
【図面の簡単な説明】
【００１３】
【図１】（ａ）は本考案第１実施形態に係る屋外床用排水口の防塵器の斜視図、（ｂ）は同じく正面断面図。
【図２】（ａ）は同じく平面図、（ｂ）は同じく底面図。
【図３】（ａ）は同じくその使用例を示した斜視図、（ｂ）は同じく正面断面図。
【図４】本考案実施形態に係る屋外床用排水口の防塵器を床から持ち上げた状態を示した正面断面図。
【図５】（ａ）は本考案第２実施形態に係る屋外床用排水口の防塵器の斜視図、（ｂ）は同じく正面断面図。
【図６】同じくその使用例を示した斜視図。
【図７】（ａ）は本考案第３実施形態に係る屋外床用排水口の防塵器の斜視図、（ｂ）は同じく正面断面図。
【図８】建築物の屋上及びベランダなどに設備されている排水口の入口に設けられているドーム形の防塵金具（ストレーナ）の設置例を示した斜視図。
【図９】建築物の屋上及びベランダなどに設備されている排水口の入口に設けられている円板形の防塵金具（ストレーナ）の設置例を示した斜視図。
【図１０】（ａ）は従来における排水不良の原因を示した斜視図、（ｂ）は同じく破断による一部断面部分を含む正面図。
【考案を実施するための形態】
【００１４】  本考案を実施するための形態を次の実施例の欄において詳述する。
【実施例】
【００１５】  図１及び図２は本考案実施形態に係る屋外床用排水口の防塵器（以下、第１実施形態の防塵器、又は単に防塵器と略称する。）１Ａは、排水口の周囲を囲むことができる大きさを有する、上下高さが２〜４ｃｍ程度の大きさの平面視リング形状に形成されたゴム製又はコンクリート製の基台部２と、金属細線が組まれて出来た蔽い部３とを備える。【００１６】  基台部２は、建築物の屋上及びベランダに設備されている上記排水口又はストレーナを囲むコンクリート床面に設置される。
このため、基台部２は、強風を受けたり、大雨時の雨水や洗濯排水による流れを受けたときに、転倒したり位置ずれしない程度の重量を有する、例えば、ゴム、コンクリート、陶器、プラスチック、金属などの材料の１種又は複数種で出来ている。基台部２がアルミ等の金属製である場合には、重量と強度が確保されるため、平面視における肉厚は図より肉薄でも構わない。【００１７】  基台部２の下面２ｃは、周回方向に沿って凹部（２ｄ）と凸部（２ｅ）繰り返した波形形状にて形成されている。
基台部２の下面２ｃをこのような波形形状にしたのは、基台部２を建築物の屋上、ベランダ等の床面に設けられている排水口の周りを囲む位置に設置したときに、床面と基台部２の各凹部（２ｄ，２ｄ・・・）との間に形成させる小さな隙間Ｓから雨水や洗濯排水を通過させるためにあり、この隙間Ｓの大きさは、水の通過を良好にさせ、且つ、落ち葉や洗濯排水に含まれる糸屑などを詰まらせる程度とされている。
各隙間Ｓ，Ｓ・・・は、排水を良好にさせるため、基台部２の中央に向けられている。
基台部２に２〜４ｃｍ程度の高さが設けられているのは、落ち葉、小石、比較的大きな塵などを基台部２の外壁面２ａの手前で留まらせるためにあり、隙間Ｓ，Ｓ・・が砂や小さな糸屑などで目詰まりした状態を気付かずに放置したときに、雨水や洗濯排水が基台部２の上端を越えて排水口内に流通させるようにするためにある。
上記隙間Ｓ，Ｓ・・が目詰まりして、屋上やベランダの床に４ｃｍ程度、雨水や洗濯排水が溜まって状態になっても、隙間Ｓ，Ｓ・・・内を全く水が通過しない訳ではなく、水の流通が悪くなるだけであるため、時間が経過すると、溜まった水は少しづつであるが排水される。【００１８】  第１実施形態の防塵器１Ａによれば、蔽い部３は、円弧形状を有する多数本の金属細線３ａ，３ａ・・・と。径の異なる５本の輪形状を有する金属製細線３ｂ，３ｃ，３ｄ，３ｆとが間隔を設けて組み付けられて、溶接により、或いは接合金具（図示せず）を利用して、一体化させたドーム骨組み形状を有している。【００１９】  蔽い部３は、落ち葉や風で飛んできた紙片などが基台部２の内側に落ちてこないようにするためにあり、このため、蔽い部３の目は粗くてもよい。
第１実施形態の防塵器１Ａによれば、蔽い部３の下端部が基台部２内に埋設されて、蔽い部３と基台部２とが一体化された防塵器１が示されているが、蔽い部３の下端部が基台部２の内周壁面又は外周壁面にねじ止め等の方法により装着されて、蔽い部３と基台部２とが一体化された構成にしてもよい。【００２０】  蔽い部３は、金属細線を組み付けたものに必ずしも限定されず、例えば、耐候性に優れるプラスチック製の一体成形品としてもよい。【００２１】  以上の構成を有する第１実施形態の防塵器１Ａを、図３（ａ）及び（ｂ）に示すように、屋上やベランダ等の床面５１における排水口６０の入口に設備されているストレーナ７０を囲むようにして、コンクリートの床面５１に設置すると、図３（ｂ）に示すように、床面６１に落ちた落ち葉Ｆ，Ｆ・・・が降雨によって排水口６０に向けて流されてきても、防塵器１Ａの基台部２の側壁で受け止められる。
また、落ち葉Ｆが防塵器１Ａの上方から落ちてくることがあっても、蔽い部３があるために、基台部２の内側にまで落ちることはない。
しかも、基台部２と床５１との間に隙間Ｓがあるために、雨水は隙間Ｓから排水口６０に流通させることができる。とくに、雨水や洗濯排水などに混じっている塵や枯草Ｆ、糸屑等の大半は、隙間Ｓの手前や隙間の中で留まらせることができるため、ストレーナ７０の通水孔７３を目詰まりさせる原因が大幅に抑えられる。
塵や枯草Ｆ、糸屑等が隙間Ｓ内に詰まり、隙間Ｓ内に水が流通しなくなった状態を気付かない場合でも、基台部２の高さが低いため、水を基台部２の上方でオーバーフローさせて、排水口６０内に流すことができる。
図３（ａ）における斜線部は基台部２を蔽い部３と区別するために示し、図３（ｂ）における斜線部は凸部２ｃを凹部２ｄと区別するために示している。【００２２】  図４に示すように、落ち葉Ｆが防塵器１Ａの周囲に溜まったり、塵Ｇが隙間Ｓの手前及び内部に滞留したときには、防塵器１Ａを手で持ち上げるだけで、床５１上に残すことができる。このため、箒と塵取りを持って簡単に除去できる。基台部２の下端部を上述したように波形としたのは、防塵区１Ａを持ち上げたときに塵Ｇが簡単に脱落するようにするためである。【００２３】  図５（ａ）及び（ｂ）、図６の使用例において示す第２実施形態の防塵器１Ｂは、第１実施形態の防塵器１Ａに用いられている基台部２のみで構成されている。第２実施形態の防塵器１Ｂは、基台部２の内側に落ち葉が落下することがあっても、前述したストレーナがあると、落ち葉を排水口内に流入させるおそれがなく、落ち葉がストレーナの通水に影響を与えることが多くないことに勘案して提案されたものとなっている。【００２４】  図７（ａ）及び（ｂ）に示す第３実施形態の防塵器１Ｃは、第１実施形態の防塵器１Ａの基台部２、別の言い方をすれば第２実施形態の防塵器１Ｂにおいて、その開口上方に、金属線３１，３１・・を多数本、等間隔毎に平行に装着された構成とされている。
第３実施形態の防塵器１Ｃは、屋上やベランダの設備されているストレーナが前述した円板形の場合に対応させたものである。尚、ストレーナ無しで、この防塵器１Ｃを排水口の入口を囲む位置に設けてもよい。
この実施形態においても、上下に高さがある基台部２を用いているため、従来のストレーナのように塵や糸屑が金属線３１，３１に引っ掛ることがない。
【産業上の利用可能性】
【００２５】  本考案に係る屋外床用排水口の防塵器は、従来のストレーナでは対応できなかった、落ち葉による雨水の排水不良、塵等による雨水や洗濯排水の排水不良を、簡単な構造で防止し得る。このため、建築分野、家庭日用品における産業分野で利用可能性がある。
【符号の説明】
【００２６】  １Ａ  本考案第１実施形態に係る屋外床用排水口の防塵器
１Ｂ  本考案第２実施形態に係る屋外床用排水口の防塵器
１Ｃ  本考案第３実施形態に係る屋外床用排水口の防塵器
２    基台部
２ｄ  凹部
２ｅ  凸部
Ｓ    隙間
３    蔽い部
５１    床面
【図１】
0003172621.tif 000003
【図２】
0003172621.tif 000004
【図３】
0003172621.tif 000005
【図４】
0003172621.tif 000006
【図５】
0003172621.tif 000007
【図６】
0003172621.tif 000008
【図７】
0003172621.tif 000009
【図８】
0003172621.tif 000010
【図９】
0003172621.tif 000011
【図１０】
0003172621.tif 000012